(57)【特許請求の範囲】
【請求項１】
高さの異なる第１の床面と第２の床面との段差部に配置されるスロープと、
前記スロープの両サイドに配置され、これら第１の床面と第２の床面の橋渡しとなり、且つ該スロープと同一の傾斜角度とされると共に該スロープとしても使用可能な基台と、該基台の内部に設けられ、該基台の表面の一部を透過して外方へ光を点灯または点滅させる発光部とを備えた発光装置と、
前記基台の近傍部を検知エリアとして人体を検知したときに前記発光部を発光させる人体検知センサと、を備えた
ことを特徴とする段差部注意喚起灯システム。
【請求項２】
請求項１に記載の段差部注意喚起灯システムであって、
前記発光部は、光源と、この光源からの光を導く導光板とからなる
ことを特徴とする段差部注意喚起灯システム。
【請求項３】
請求項２に記載の段差部注意喚起灯システムであって、
前記光源は、発光ダイオードからなる
ことを特徴とする段差部注意喚起灯システム。
【請求項４】
請求項１から請求項３の何れか一つに記載される段差部注意喚起灯システムであって、
前記基台は、その表面に滑ることのないようにした滑り止め部を有している
ことを特徴とする段差部注意喚起灯システム。
【発明の詳細な説明】
【技術分野】
【０００１】
本発明は、高さの異なる床面の段差部に配置され、当該段差部に設けられたスロープの存在を視覚的に認識させる段差部注意喚起灯システムに関する。  
【背景技術】
【０００２】
近年、ビルなどの建物におけるフロアー構造は、通信技術などの発達により床下にネットワークケーブルやその他各種ケーブルを配線するために、床面（床下）との間に空間を設けてフロアパネルを所定高さ位置に敷設した二重床構造とされることが多い。また、建物によっては、デザイン上、床面に段差を意図的に設けた構造のものもある。
【０００３】
このような段差が設けられたフロアーでは、歩行に支障がないようスロープが並設され、そのスロープの存在を喚起させるために、当該スロープ近傍のカーペットの色を他の部分に対して異なる色とすることが行われている。しかしながら、単にカーペットの色を変えただけでは、充分に注意を喚起させることは困難である。特に、照明が暗いフロアーの場合は、カーペットの色を見分けることは極めて困難であり、段差を認識することは難しい。
【０００４】
段差を目視により認識させる技術としては、床面への施工例ではないが、例えば階段にランプや発光ダイオード（ＬＥＤ）などの光源を埋め込み、その光源を点灯させて階段の一部を光らせることにより注意を喚起させるようにした技術が提案されている（例えば、特許文献１、２、３など参照）。
【特許文献１】特開昭５７−１９９９０９号公報（第２頁、第１図）
【特許文献２】特公平５−１４９７６号公報（第２頁、第２図）
【特許文献３】特開２００１−１４７６５７号公報（第６頁、第１図）
【発明の開示】
【発明が解決しようとする課題】
【０００５】
このように、これまではカーペットの色を変えることにより、段差部の存在を喚起させたが、それだけでは充分な喚起には至っていないのが実情である。また、床面の段差部に直接、光源を埋め込むことも考えられるが、既存の床に後加工するなどの工程が必要となる。
【０００６】
そこで、本発明は、照明の暗いフロアーでも段差部の存在を目視により確実に喚起させ得ることができ、且つ、床面に後加工を施すことの無い施工容易な段差部注意喚起灯システムを提供することを目的とする。
【課題を解決するための手段】
【０００７】
本発明の段差部注意喚起灯システムは、高さの異なる第１の床面と第２の床面との段差部に配置されるスロープと、前記スロープの両サイドに配置され、これら第１の床面と第２の床面の橋渡しとなり、且つ該スロープと同一の傾斜角度とされると共に該スロープとしても使用可能な基台と、該基台の内部に設けられ、該基台の表面の一部を透過して外方へ光を点灯または点滅させる発光部とを備えた発光装置と、前記基台の近傍部を検知エリアとして人体を検知したときに前記発光部を発光させる人体検知センサとを備えたことを特徴とする。
【発明の効果】
【０００８】
本発明の段差部注意喚起灯システムによれば、高さの異なる床面の段差部に配置させた基台に、この基台の表面の一部を透過して外方へ光を点灯または点滅させる発光部を設けた構造としたので、発光部が点灯または点滅することで、足下にある段差部の存在を確実に喚起させることができる。また、本発明の段差部注意喚起灯システムによれば、ユニット化しているので、床面に単に置くだけで、該床面を後加工することなく簡単に施工することができる。
【発明を実施するための最良の形態】
【０００９】
以下、本発明を適用した具体的な実施の形態について図面を参照しながら詳細に説明する。
【００１０】
「第１の実施の形態」
図１は第１の実施の形態の段差部注意喚起灯システムにおける発光装置を段差部に配置させた施工例を示す斜視図、図２は施工前の状態を示す斜視図、図３は人体検知センサによる検知で発光部を発光させる例を示す斜視図、図４は発光装置の斜視図、図５は発光装置の分解斜視図、図６は光透過部の形状及び配列パターンの一例を示す図である。
【００１１】
第１の実施の形態の段差部注意喚起灯システムにおける発光装置１は、図１から図３に示すように、高さの異なる第１の床面２と第２の床面３との段差部４に配置されるスロープ５の両サイドに配置され、光透過部を通して光りを点灯または点滅させることにより、このスロープ５部分を歩く人に当該スロープ５の存在を気付かせる、いわゆる注意喚起灯として機能する。また、この発光装置１は、人体検知センサ６がスロープ５の近傍部に人体を検知したときに制御部７が動作し発光部を発光させることにより、より一層の注意を喚起させるように構成してある。
【００１２】
第１の床面２は、例えばフロアーの床面とされ、第２の床面３は、この第１の床面２の上に敷設されたフロアパネルに、さらに四角形状のカーペット８を敷き詰めて形成された床面とされている。したがって、段差部４は、カーペット８及び当該フロアパネルの厚み分の段差とされている。
【００１３】
スロープ５は、第１の床面２と第２の床面３の段差部４に配置され、これら第１の床面２と第２の床面３をなだらかに結ぶ傾斜板として形成されている。図１では、このスロープ５の表面５ａに、第２の床面３と同一模様のカーペット８を取り付けている。
【００１４】
人体検知センサ６は、例えば天井９などに取り付けられており、発光装置１の近傍部を検知エリア１０として人体１１を検知する。図３の例では、第１の床面２から第２の床面３に向かって歩いたときに、スロープ５の手前の位置を人体の検知を行う検知エリア１０としている。逆に第２の床面３から第１の床面２に向かって歩いたときには、スロープ５の手前の第２の床面３上のエリアが検知エリアとなる。なお、説明上、理解を容易なものとするために、図１では検知エリア１０を丸で囲んで示してあるが、実際には発光装置１の近傍部、数メートルの領域が検知エリア１０となる。
【００１５】
発光装置１は、図４及び図５に示すように、第１の床面２と第２の床面３の段差部４に配置され、第１の床面２と第２の床面３の橋渡しとなる基台１２と、この基台１２の内部に設けられ、該基台１２の表面の一部を透過して外方へ光を点灯または点滅させる発光部１３とを有している。
【００１６】
基台１２は、スロープ５と同一の傾斜角度とされた側面視略三角形状からなり、該スロープ５の両サイドに配置されることにより、当該スロープ５の一部を構成する。この基台１２は、スロープ５と同じく所望の荷重に耐えられるように一定の強度を有しており、例えばＡＢＳ（アクリロニトリル、ブタジエン、スチレンの共重合物）樹脂やＰＰ（ポリプロピレン）樹脂などにより一体的に成形されている。また、この基台１２は、発光部１３をその内部に取り付けるための開口部（図示は省略する）をその裏面に有している。
【００１７】
この基台１２には、発光部１３からの光を外方（室内）へ放射させるための光透過部１５が設けられている。かかる光透過部１５は、傾斜面とされる表面に、その傾斜方向に沿って所定間隔を置いて略楕円形状の貫通孔として形成されている。また、この基台１２の表面には、滑り止め部１６が幅方向に亘って複数形成されている。この滑り止め部１６は、第２の床面３側から第１の床面２側に向かって上端部から下端部近傍部に亘る範囲に形成されている。
【００１８】
また、この基台１２の表面には、カーペット８または金属プレート（図示は省略する）を載せるための載置用段差１７が形成されている。この載置用段差１７は、第１の床面２の近傍部に設けられ、カーペット８または金属プレートを載置したときに該カーペット８または金属プレートと滑り止め部１６との高さが略面一となるような段差とされている。
【００１９】
発光部１３は、光源１８と、この光源１８を固定するプリント配線板１９と、光源１８からの光を光透過部１５に導くレンズプレート２０とから構成される。
【００２０】
光源１８には、例えば発光ダイオード（ＬＥＤ）が使用されており、当該ＬＥＤの指向性により、より一層の注意を喚起できる。そして、この光源１８は、プリント配線板１９の前記光透過部１５と対応した位置にそれぞれ取り付けられている。レンズプレート２０は、例えば透明または白濁色のプラスチック板として形成されている。このレンズプレート２０には、前記基台１２に形成された光透過部１５に嵌入される突部２１が形成されている。
【００２１】
なお、光源１８をオン・オフさせる駆動回路は、この基台１２の中に設けても良く、或いは基台１２とは別の場所に設けるようにしても構わない。
【００２２】
そして、この発光部１３は、レンズプレート２０とプリント配線板１９を共に固定用ネジ２２によって前記基台１２の裏面側からネジ止めすることにより固定される。
【００２３】
以上のようにスロープ５の一部を構成する発光装置１を、第１の床面２と第２の床面３の段差部４に設けたスロープ５の両側に設置すれば、天井９に設置した人体検知センサ６がスロープ近傍部の検知エリア１０に人体１１を検知し、その検知信号に基づいて制御部７が作動し、駆動回路を駆動して光源１８を点灯または点滅させる。すると、この光源１８からの光がレンズプレート２０を介して光透過部１５より室内へ放射され、歩く人にスロープ５があることを喚起させる。
【００２４】
このように、スロープ５の両側に光源１８からの光を点灯または点滅させて注意を喚起すれば、照明の暗いフロアーであってもそこにスロープ５があることが目視により一目で判るため、このスロープ５につまづいて怪我をするようなことは未然回避できる。
【００２５】
また、この発光装置１によれば、ユニット化した発光装置１を単に床面に置くだけの簡単な設置作業で済むため、施工作業を簡略化することができる。
【００２６】
以上、第１の実施の形態の段差部注意喚起灯システムについて説明したが、本発明は、上述の実施の形態に制限されることなく種々の変更が可能である。
【００２７】
例えば、発光装置１を構成する基台１２に形成した光透過部１５の配列としては、図６に示すように、円形状の光透過部１５を縦一列にピッチを変えて配列（図６（Ａ）、（Ｃ））したものや、光透過部１５を縦二列にピッチを変えて配列（図６（Ｂ）、（Ｄ））したもの、或いは光透過部１５を四角形状としたもの（図６（Ｅ））としてもよい。四角形状とした光透過部１５には、例えば複数個の光源１８を配置し、充分な光量を確保するようにしてもよい。
【００２８】
また、光源１８の色を変え、その色違いによって注意を喚起するようにしてもよい。例えば、通常の状態のときには白色、異常を促すときには黄色、注意を促すときにはオレンジ色や赤色などで光源１８を点灯または点滅させるようにする。
【００２９】
また、上述の実施の形態では、レンズプレート２０を単なる透明のプラスチック板として形成したが、このレンズプレート２０を光源１８からの光を導くための導光板としてもよい。レンズプレート２０を導光板とすれば、光透過部１５から放射される光の拡散範囲をより一層広げることができ、注意を一層喚起させることが可能となる。例えば、拡散方向としては、スロープ５を上って行く方向や下って行く方向とする。
【００３０】
また、上述の実施の形態では、光源１８としてＬＥＤを使用したが、エレクトロルミネッセンス（ＥＬ）を光源１８に用いても良く、或いは白熱灯などの電球を光源１８として使用することも可能である。例えば、エレクトロルミネッセンス（ＥＬ）を用いた場合には、面発光が可能となり、広範囲の発光が可能なため、スロープ５の存在をより認識し易くできる。
【００３１】
「第２の実施の形態」
図７は第２の実施の形態の段差部注意喚起灯システムにおける発光装置の分解斜視図である。この発光装置２３は、基台２４と光を透過させる光透過部２５を有した化粧板２６と、この基台２４と化粧板２６との間に設けられる発光部２７とから構成される。ここでは、基台２４とこの基台２４に固定される化粧板２６が、第１の実施の形態における基台に相当する。
【００３２】
基台２４は、前記第１の実施の形態の基台１２と同様、スロープ５と同一の傾斜角度とされた側面視略三角形状として形成され、ＡＢＳ（アクリロニトリル、ブタジエン、スチレンの共重合物）樹脂やＰＰ（ポリプロピレン）樹脂などにより一体的に成形されている。この基台２４には、発光部２７の配線などを内部に収容すると共に、補強材としてのスリット２８が形成されている。
【００３３】
発光部２７は、例えばＬＥＤやＥＬなどの光源２９と、この光源２９を固定させる配線パターンが形成されたプリント配線板３０とから構成される。
【００３４】
化粧板２６は、例えば透明なポリカーボネート基板から形成され、前記基台２４にネジ止め或いは接着固定するなどして取り付けられる。この化粧板２６の表面には、各光源２９と対応する位置に塗装を施さないことによって形成される光透過部２５が設けられている。また、化粧板２６の表面２６ａは、滑り防止のためのノンスリップ塗装が施されている。このノンスリップ塗装が施されることにより、この上を歩いたときに滑ることの無い滑り止め部が形成される。かかるノンスリップ塗装は、例えばエポキシ樹脂塗料にポリスチレン粒状物を添加した塗料、或いは軟質ウレタン塗料に軟質ウレタン粒状物又は塩化ビニル樹脂の粒状物を添加した塗料を使用することにより行う。
【００３５】
第２の実施の形態の段差部注意喚起灯システムによれば、第１の実施の形態の段差部注意喚起灯システムと同様、照明の暗いフロアーであっても光源２９からの光が点灯または点滅することによって、そこにスロープ５があることが目視により一目で判別できるため、このスロープ５につまづいて怪我をするようなことは未然回避できる。また、この段差部注意喚起灯システムにおける発光装置２３によれば、ユニット化した発光装置２３を単に床面に置くだけの簡単な設置作業で済むため、やはり同様に施工作業を簡略化することができる。
【００３６】
「第３の実施の形態」
図８は第３の実施の形態の段差部注意喚起灯システムにおける発光装置の分解斜視図である。この発光装置３１は、基台２４と、光を透過させる光透過部３２を有した化粧板３３と、この基台２４と化粧板３３との間に設けられる発光部２７と、レンズカバー３４から構成される。
【００３７】
本実施の形態の段差部注意喚起灯システムにおける発光装置３１では、化粧板３３とレンズカバー３４とが第２の実施の形態の発光装置２３のものと異なる他は同じ構成である。換言すれば、この実施の形態の発光装置３１の基台２４と発光部２７は、第２の実施の形態の発光装置２３のものと同一構成であるが、化粧板３３とレンズカバー３４とが異なる。
【００３８】
本実施の形態の発光装置３１における化粧板３３は、光源２９と対応する位置に孔部として形成される光透過部３２を有している。この化粧板３３は、例えばゴム材から形成され、この上を歩いたときに滑らないようになされた、いわゆるノンスリップシートとされている。レンズカバー３４は、透明なポリカーボネート基板からなり、その下に配置される光源２９から光を透過させ、化粧板３３の光透過部３２を介して外方へ光を放射させる。
【００３９】
第３の実施の形態の段差部注意喚起灯システムによれば、第１の発光装置１と同様、照明の暗いフロアーであっても光源２９からの光が点灯または点滅することによって、そこにスロープ５があることが目視により一目で判別できるため、このスロープ５につまづいて怪我をするようなことは未然回避できる。また、この段差部注意喚起灯システムによれば、ユニット化した発光装置３１を単に床面に置くだけの簡単な設置作業で済むため、やはり同様に施工作業を簡略化することができる。
【００４０】
「第４の実施の形態」
図９は第４の実施の形態の段差部注意喚起灯システムにおける発光装置を段差部に配置させた施工例を示す斜視図、図１０は施工前の状態を示す斜視図、図１１は第４の実施の形態の段差部注意喚起灯システムにおける発光装置の分解斜視図である。
【００４１】
第４の実施の形態の段差部注意喚起灯システムにおける発光装置３５は、図７に示した第２の実施の形態の段差部注意喚起灯システムにおける発光装置２３と同一構成であるが、第２の実施の形態では発光装置２３がスロープの一部を構成するのに対して、この実施の形態では発光装置３５全体がスロープを構成する点が異なる。
【００４２】
この第４の実施の形態の段差部注意喚起灯システムによれば、スロープ全体に光透過部２５が複数形成されていることから視認性が極めて高く、スロープ全体が点灯または点滅するため、段差部４があることをより一層確実の目視にて認識させることができる。
【００４３】
「第５の実施の形態」
図１２は第５の実施の形態の段差部注意喚起灯システムにおける発光装置を段差部に配置させた施工例を示す斜視図、図１３は施工前の状態を示す斜視図、図１４は第５の実施の形態の段差部注意喚起灯システムにおける発光装置の分解斜視図である。
【００４４】
第５の実施の形態の段差部注意喚起灯システムにおける発光装置３６は、図７に示した第２の実施の形態の発光装置２３とほぼ同一構成であるが、第２の実施の形態では基台２４を側面視略三角形状としたが、この実施の形態では基台２４を長方形状をなすブロックとし、且つ発光装置３６全体の高さを段差部４の高さと略同一高さとした他は、第２の実施の形態の発光装置２３と同一構成である。
【００４５】
このように、本実施の形態によれば、スロープ５と第２の床面３との間の段差部４に発光装置３６を設ければ、第２の実施の形態の段差部注意喚起灯システムと同様、照明の暗いフロアーであっても光源２９からの光が点灯または点滅することによって、そこにスロープ５があることを目視により明確に判別することができ注意を喚起できる。また、この実施の形態の段差部注意喚起灯システムも同様、ユニット化した発光装置３６を単に床面に置くだけの簡単な設置作業で済むため、やはり同様に施工作業を簡略化することができる。
【００４６】
「第６の実施の形態」
図１５は第６の実施の形態の段差部注意喚起灯システムにおける発光装置を段差部に配置させた施工例を示す斜視図である。
【００４７】
第６の実施の形態は、第５の実施の形態の段差部注意喚起灯システムにおける発光装置３６に加えて、スロープ５の両サイドに第２の実施の形態の段差部注意喚起灯システムにおける発光装置２３を配置した例である。
【００４８】
このように、スロープ５と第２の床面３との段差部４に発光装置３６を配置すると共に、スロープ５の両サイドにこのスロープ５の一部を構成する三角形状の発光装置２３を配置すれば、より一層の注意を喚起させることができる。
【図面の簡単な説明】
【００４９】
【図１】第１の実施の形態の段差部注意喚起灯システムにおける発光装置を段差部に配置させた施工例を示す斜視図である。
【図２】第１の実施の形態の段差部注意喚起灯システムにおける発光装置を段差部に配置する前の施工前状態を示す斜視図である。
【図３】第１の実施の形態の段差部注意喚起灯システムを示し、人体検知センサによる検知で発光部を発光させる例を示す斜視図である。
【図４】第１の実施の形態の段差部注意喚起灯システムにおける発光装置の斜視図である。
【図５】第１の実施の形態の段差部注意喚起灯システムにおける発光装置の分解斜視図である。
【図６】第１の実施の形態の段差部注意喚起灯システムにおける発光装置において、光透過部の形状及び配列パターンの一例を示す図である。
【図７】第２の実施の形態の段差部注意喚起灯システムにおける発光装置の分解斜視図である。
【図８】第３の実施の形態の段差部注意喚起灯システムにおける発光装置の分解斜視図である。
【図９】第４の実施の形態の段差部注意喚起灯システムにおける発光装置を段差部に配置させた施工例を示す斜視図である。
【図１０】第４の実施の形態の段差部注意喚起灯システムにおける発光装置を段差部に配置する前の施工前状態を示す斜視図である。
【図１１】第４の実施の形態の段差部注意喚起灯システムにおける発光装置の分解斜視図である。
【図１２】第５の実施の形態の段差部注意喚起灯システムにおける発光装置を段差部に配置させた施工例を示す斜視図である。
【図１３】第５の実施の形態の段差部注意喚起灯システムにおける発光装置を段差部に配置する前の施工前状態を示す斜視図である。
【図１４】第５の実施の形態の段差部注意喚起灯システムにおける発光装置の分解斜視図である。
【図１５】第６の実施の形態の段差部注意喚起灯システムにおける発光装置を段差部に配置させた施工例を示す斜視図である。
【符号の説明】
【００５０】
１、２３、３１、３５、３６…発光装置
２…第１の床面
３…第２の床面
４…段差部
５…スロープ
６…人体検知センサ
８…カーペット
１０…検知エリア
１１…人体
１２、２４、…基台
１３、２７…発光部
１５、２５、３２…光透過部
１６…滑り止め部
１７…載置用段差
１８…光源
１９…プリント配線板
２０…レンズプレート
２６、３３…化粧板
【図１】
0004696465.tif 000002
【図２】
0004696465.tif 000003
【図３】
0004696465.tif 000004
【図４】
0004696465.tif 000005
【図５】
0004696465.tif 000006
【図６】
0004696465.tif 000007
【図７】
0004696465.tif 000008
【図８】
0004696465.tif 000009
【図９】
0004696465.tif 000010
【図１０】
0004696465.tif 000011
【図１１】
0004696465.tif 000012
【図１２】
0004696465.tif 000013
【図１３】
0004696465.tif 000014
【図１４】
0004696465.tif 000015
【図１５】
0004696465.tif 000016